(57)【特許請求の範囲】
【請求項１】
録画装置によって生成された映像データを送信する通信装置と、前記通信装置を認証する認証装置と、前記通信装置から送信される映像データを記憶する記憶装置と、を備える映像システムであって、
前記通信装置は、
構外通信網を介して前記認証装置に自装置を示す識別情報を送信する処理と、前記構外通信網を介して前記記憶装置に前記映像データを送信する処理とを行う通信部を備え、
前記認証装置は、
前記構外通信網を介して通信する前記通信装置に対し前記識別情報に基づいて認証処理を行う認証部を備え、
前記記憶装置は、
映像データを記録する記憶領域を有した記憶部と、
認証された前記通信装置から、前記構外通信網を介して映像データを受信する通信部と、
前記通信部を介して受信した前記映像データを、前記記憶部に書き込む制御部と、を備え、
前記認証部は、所定の通信路を経由して前記構外通信網に接続している前記通信装置を認証する、映像システム。
【請求項２】
前記記憶装置の通信部は、認証された前記通信装置から前記構外通信網を介して映像データの送信要求をさらに受信し、
前記記憶装置の制御部は、前記送信要求に応じて、前記記憶部に書き込まれた前記映像データを読み出し、
前記記憶装置の通信部は、前記制御部によって読み出された前記映像データを、前記構外通信網を介して前記認証された通信装置へ送信し、
前記通信装置の通信部は、前記記憶装置から前記構外通信網を介して前記映像データを受信し、
前記通信装置は、受信された前記映像データを、映像を表示する再生装置へ出力する制御部をさらに備える請求項１に記載の映像システム。
【請求項３】
録画装置によって生成された映像データを送信する通信装置と、前記通信装置を認証する認証装置と、前記通信装置から送信される映像データを記録する記憶部を備えた記憶装置と、を備える映像システムが行う映像管理方法であって、
前記通信装置が、構外通信網を介して前記認証装置に自装置を示す識別情報を送信する第一通信ステップと、
前記通信装置が、前記構外通信網を介して前記記憶装置に前記映像データを送信する第二通信ステップと、
前記認証装置が、前記構外通信網を介してデータを送信する前記通信装置に対し前記識別情報に基づいて認証処理を行う認証ステップと、
前記記憶装置が、認証された前記通信装置から、前記構外通信網を介して映像データを受信する第三通信ステップと、
前記記憶装置が、受信した前記映像データを、前記記憶部に書き込む制御ステップと、を有し、
前記記憶装置が、前記認証ステップにおいて、所定の通信路を経由して前記構外通信網に接続している前記通信装置を認証する、映像管理方法。
【発明の詳細な説明】
【技術分野】
【０００１】
本発明は、通信網を介して映像データを蓄積するための技術に関する。
【背景技術】
【０００２】
近年、ハードディスクの大容量化に伴い、テレビの番組をハードディスクに録画するための装置が普及している。例えば特許文献１にはハードディスクレコーダ（録画再生装置）が開示されている。このハードディスクレコーダは、装置本体と取り外し可能なＨＤＤ（記録媒体）と、コンテンツデータを録画する書き込み部と、コンテンツデータを再生する読み取り部と、ＨＤＤのシリアル番号を記憶するメモリと、制御用マイコンとを備える。ハードディスクレコーダは、ユーザーの住居や職場などの施設内（以下、「構内」という。）に設置され、放送番組の信号をハードディスクに記録する。このようなハードディスクを備えた録画装置は、記憶容量が大きいため一般的に数十時間以上の映像を記録することができる。そのため、従来のようにビデオテープ等に録画していた場合とは異なり、ユーザーは録画時間や既に録画しているデータ容量などをほとんど気にすることなく、好きな番組を録画しておくことが可能である。
【先行技術文献】
【特許文献】
【０００３】
【特許文献１】特開２００９−１８１６５１号公報
【発明の概要】
【発明が解決しようとする課題】
【０００４】
しかし、いくら大容量化が進んだとは言え、当然ながら記録可能なデータ容量には上限がある。そのため、ユーザーが意識をしてない時に容量が足りなくなってしまい、録画すべき番組を録画し損ねてしまうことがあった。また、ユーザーが構内に設置している記憶装置に故障が生じた場合にも、録画すべき番組を録画し損ねてしまうことがあった。このように、ユーザーが構内に設置している機器に備えられた記録媒体のみでは十分に問題を解決できない場合があった。
上記事情に鑑み、本発明は、構内以外の場所（以下、「構外」という。）に記録媒体を設置し、構外の記録媒体に対して映像データを記録するための技術を提供することを目的としている。
【課題を解決するための手段】
【０００５】
本発明の一態様は、映像データを送信する通信装置と、前記通信装置を認証する認証装置と、前記通信装置から送信される映像データを記憶する記憶装置と、を備える映像システムであって、前記通信装置は、前記映像データを、構外通信網を介して前記記憶装置に送信する通信部を備え、前記認証装置は、前記構外通信網を介して通信する前記通信装置に対し認証処理を行う認証部を備え、前記記憶装置は、映像データを記録する記憶領域を有した記憶部と、認証された前記通信装置から、前記構外通信網を介して映像データを受信する通信部と、前記通信部を介して受信した前記映像データを、前記記憶部に書き込む制御部と、を備える。
【０００６】
本発明の一態様は、上記映像システムであって、前記記憶装置の通信部は、認証された前記通信装置から前記構外通信網を介して映像データの送信要求をさらに受信し、前記記憶装置の制御部は、前記送信要求に応じて、前記記憶部に書き込まれた前記映像データを読み出し、前記記憶装置の通信部は、前記制御部によって読み出された前記映像データを、前記構外通信網を介して前記認証された通信装置へ送信し、前記通信装置の通信部は、前記記憶装置から前記構外通信網を介して前記映像データを受信し、前記通信装置は、受信された前記映像データを、映像を表示する機能へ出力する制御部をさらに備える。
【０００７】
本発明の一態様は、上記映像システムであって、前記認証部は、所定の通信路を経由して前記構外通信網に接続している前記通信装置を認証する。
【０００８】
本発明の一態様は、映像データを送信する通信装置と、前記通信装置を認証する認証装置と、前記通信装置から送信される映像データを記録する記憶部を備えた記憶装置と、を備える映像システムが行う映像管理方法であって、前記通信装置が、前記映像データを、構外通信網を介して前記記憶装置に送信する通信ステップと、前記認証装置が、前記構外通信網を介してデータを送信する前記通信装置に対し認証処理を行う認証ステップと、前記記憶装置が、認証された前記通信装置から、前記構外通信網を介して映像データを受信する通信ステップと、前記記憶装置が、受信した前記映像データを、前記記憶部に書き込む制御ステップと、を有する。
【発明の効果】
【０００９】
本発明により、構外に設置された記録媒体に対して映像データを記録することが可能となる。
【図面の簡単な説明】
【００１０】
【図１】映像システムの第一実施形態のシステム構成を表すシステム構成図である。
【図２】ユーザー宅の構内に設置される装置の機能構成を表すブロック図である。
【図３】ＮＷストレージの機能構成を表すブロック図である。
【図４】第一実施形態におけるＮＷストレージへの録画処理の流れを表すシーケンス図である。
【図５】第一実施形態におけるＮＷストレージからの再生処理の流れを表すシーケンス図である。
【図６】映像システムの第二実施形態のシステム構成を表すシステム構成図である。
【図７】第二実施形態におけるＮＷストレージへの録画処理の流れを表すシーケンス図である。
【図８】第二実施形態におけるＮＷストレージからの再生処理の流れを表すシーケンス図である。
【図９】映像システムの第三実施形態のシステム構成を表すシステム構成図である。
【図１０】第三実施形態におけるＮＷストレージへの録画処理の流れを表すシーケンス図である。
【図１１】第三実施形態におけるＮＷストレージからの再生処理の流れを表すシーケンス図である。
【発明を実施するための形態】
【００１１】
［第一実施形態］
図１は、映像システムの第一実施形態（映像システム１００）のシステム構成を表すシステム構成図である。映像システム１００は、ユーザー宅１０の設備と、データセンター２０の設備と、ユーザー宅１０の設備及びデータセンター２０の設備を通信可能にする構外通信網３０と、構外通信網３０に接続される装置に対して認証を行う認証装置４０を備える。
ユーザー宅１０の構内には、ユーザー通信装置１１０、映像装置１２０、表示装置１３０が設置される。データセンター２０の構内には、ネットワークストレージ（以下「ＮＷストレージ」という。）２１０が設置される。ユーザー宅１０及びデータセンター２０の構外には、構外通信網３０が構築されている。ユーザー宅１０のユーザー通信装置１１０とデータセンター２０のＮＷストレージ２１０とは、それぞれ構外通信網３０に接続することによって、構外通信網３０内の伝送路３１０を介して互いに通信を行う。
【００１２】
映像システム１００の概略について説明する。ユーザー通信装置１１０は、認証装置４０の認証を受けることによって、ＮＷストレージ２１０と通信を行うことが可能となる。映像データを記録する場合、映像装置１２０はユーザー通信装置１１０を介して映像データをＮＷストレージ２１０へ送信する。ＮＷストレージ２１０は、ユーザー通信装置１１０から受信した映像データを記録する。映像データを再生する場合、映像装置１２０はユーザー通信装置１１０を介して映像データをＮＷストレージ２１０に要求する。ＮＷストレージ２１０は、ユーザー通信装置１１０から受信した要求に応じて、記録していた映像データをユーザー通信装置１１０へ送信する。ユーザー通信装置１１０は、ＮＷストレージ２１０から受信した映像データを映像装置１２０へ中継する。映像装置１２０は、受信した映像データを再生し、表示装置１３０に表示させる。
【００１３】
次に、映像システム１００の詳細について説明する。図２は、ユーザー宅１０の構内に設置される装置の機能構成を表すブロック図である。ユーザー宅１０の構内には、ユーザー通信装置１１０、映像装置１２０、表示装置１３０、構内通信網１４０が設置される。構内通信網１４０は、ユーザー宅１０の構内に設置された通信網（ネットワーク）である。構内通信網１４０は、例えばＬＡＮ（Local Area Network）や無線ＬＡＮとして構成されても良いし、他の形態のネットワークとして構成されても良い。ユーザー通信装置１１０と映像装置１２０とは、構内通信網１４０を介して互いに通信可能である。
【００１４】
ユーザー通信装置１１０は、ユーザー宅１０の構内通信網１４０と構外通信網３０との間でデータを中継する。また、ユーザー通信装置１１０は、自身が通信端末装置として、構外通信網３０を介して多装置と通信を行っても良い。ユーザー通信装置１１０は、バスで接続されたＣＰＵ（Central Processing Unit）やメモリや補助記憶装置などを備え、所定のプログラムを実行する。ユーザー通信装置１１０はプログラムの実行によって、構内通信部１１１、構外通信部１１２、制御部１１３、一時記憶部１１４を備える装置として機能する。なお、ユーザー通信装置１１０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。ユーザー通信装置１１０によって実行されるプログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。
【００１５】
構内通信部１１１は、構内通信網１４０との間のネットワークインタフェースである。例えば構内通信網１４０がＬＡＮである場合には、構内通信部１１１は有線ケーブルのポート及びＬＡＮの通信装置として構成される。例えば構内通信網１４０が無線ＬＡＮである場合には、構内通信部１１１は無線ＬＡＮ用の無線装置として構成される。このように、構内通信部１１１は、構内通信網１４０の形態に応じて適宜設計される。
構外通信部１１２は、構外通信網３０との間のネットワークインタフェースである。構外通信網３０からユーザー宅１０までの間の通信路が光ケーブルである場合には、構外通信部１１２はＯＮＵ（Optical Network Unit：光回線終端装置）としての機能を備える。構外通信部１１２は、構外通信網３０の形態に応じて適宜設計される。
【００１６】
制御部１１３は、構内通信網１４０から受信したデータを、そのデータの内容や宛先などに応じて構内通信網１４０又は構外通信網３０へ送信する。また、制御部１１３は、構外通信網３０から受信したデータを、そのデータの内容や宛先などに応じて構内通信網１４０に接続された装置へ送信する。制御部１１３は、映像装置１２０がＮＷストレージ２１０へのアクセスを行う場合には、制御部１１３は認証装置４０による認証を受ける。制御部１１３は、認証を受けるために認証装置４０に対しサービス識別子を送信する。サービス識別子は、ユーザー通信装置１１０が構外通信網３０を介して享受しようとするサービスを表す識別子である。本実施形態では、ユーザー通信装置１１０によって送信されるサービス識別子は、ＮＷストレージ２１０に対して映像データを書き込むことや読み出すことができるサービス（以下、「ストレージサービス」という。）を表す。
一時記憶部１１４は、磁気ハードディスク装置や半導体記憶装置などの記憶装置を用いて構成される。一時記憶部１１４は、受信したデータを制御部１１３が一時的に保持する際に用いられる。
【００１７】
映像装置１２０は、テレビ放送番組の映像を録画する。映像装置１２０は、自装置が録画した映像を再生する。映像装置１２０は、バスで接続されたＣＰＵやメモリや補助記憶装置などを備え、映像制御プログラムを実行する。映像装置１２０は、映像制御プログラムの実行によって、信号受信部１２１、映像記憶部１２２、通信部１２３、制御部１２４を備える装置として機能する。なお、映像装置１２０の各機能の全て又は一部は、ＡＳＩＣやＰＬＤやＦＰＧＡ等のハードウェアを用いて実現されても良い。映像制御プログラムは、コンピュータ読み取り可能な記録媒体に記録されても良い。
信号受信部１２１は、ユーザー宅１０に設置されたアンテナや、ユーザー宅１０に引き込まれたケーブル等を介して、テレビ放送番組の信号を受信する。信号受信部１２１は、受信したテレビ放送番組の信号を制御部１２４へ出力する。
【００１８】
映像記憶部１２２は、磁気ハードディスク装置や半導体記憶装置などの記憶装置を用いて構成される。映像記憶部１２２は、映像装置１２０のユーザーによって録画するように指示された映像データを、制御部１２４の録画処理に応じて記憶する。映像記憶部１２２に記憶された映像データは、制御部１２４の再生処理に応じて再生される。
通信部１２３は、構内通信網１４０との間のネットワークインタフェースである。例えば構内通信網１４０がＬＡＮである場合には、通信部１２３は有線ケーブルのポート及びＬＡＮの通信装置として構成される。例えば構内通信網１４０が無線ＬＡＮである場合には、通信部１２３は無線装置として構成される。このように、構内通信部１２３は、構内通信網１４０の形態に応じて適宜設計される。
【００１９】
制御部１２４は、映像装置１２０の動作を制御する。例えば、制御部１２４は、録画処理や再生処理を行う。録画処理では、制御部１２４は信号受信部１２１によって受信された信号を映像データに変換し記録する。映像データの記録先には、映像記憶部１２２とＮＷストレージ２１０とがある。制御部１２４は、映像データの記録先としてどのような基準によって決定しても良い。例えば、制御部１２４は、映像データの記録先として映像記憶部１２２を優先的に選択し、映像記憶部１２２の記憶容量が足りない場合にＮＷストレージ２１０を記録先として選択しても良い。また、制御部１２４は、ユーザーの選択に応じて記録先を選択しても良い。
表示装置１３０は、ＣＲＴ（Cathode Ray Tube）ディスプレイ、液晶ディスプレイ、有機ＥＬ（Electro Luminescence）ディスプレイ等の画像表示装置である。表示装置１３０は、映像装置１２０から映像信号の入力を受け、映像信号にしたがって動画像を表示する。また、表示装置１３０は、スピーカーを備え、映像装置１２０から音声信号の入力を受け音声信号にしたがって音声を出力しても良い。
【００２０】
図３は、ＮＷストレージ２１０の機能構成を表すブロック図である。ＮＷストレージ２１０は、バスで接続されたＣＰＵやメモリや補助記憶装置などを備え、ＮＷストレージ用プログラムを実行する。ＮＷストレージ２１０は、ＮＷストレージ用プログラムの実行によって、通信部２１１、記憶部２１２、契約情報ＤＢ２１３、制御部２１４を備える装置として機能する。なお、ＮＷストレージ２１０の各機能の全て又は一部は、ＡＳＩＣやＰＬＤやＦＰＧＡ等のハードウェアを用いて実現されても良い。ＮＷストレージ用プログラムは、コンピュータ読み取り可能な記録媒体に記録されても良い。
【００２１】
通信部２１１は、構外通信網３０との間のネットワークインタフェースである。構外通信網３０からデータセンター２０までの間の通信路が光ケーブルである場合には、通信部２１１はＯＮＵとしての機能を備える。通信部２１１は、構外通信網３０の形態に応じて適宜設計される。
記憶部２１２は、磁気ハードディスク装置や半導体記憶装置などの記憶装置を用いて構成される。記憶部２１２は、通信部２１１を介して受信される映像データを記憶する。記憶部２１２は、映像データのみならず他のデータをさらに記憶しても良い。記憶部２１２は、ＤＬＮＡ（Digital Living Network Alliance）やＤＴＣＰ−ＩＰ（Digital Transmission Content Protection over Internet Protocol）等の規格に準拠した保存領域に映像データを記憶しても良い。
【００２２】
契約情報ＤＢ２１３は、磁気ハードディスク装置や半導体記憶装置を用いて構成される。契約情報ＤＢ２１３は、契約が締結されているストレージサービスに割り振られた契約ＩＤと、契約されたストレージサービスの内容とを対応付けて記憶する。ストレージサービスの内容とは、例えば録画可能な映像データの容量を表す情報であっても良いし、この契約に割り当てられた記憶部２１２の記憶領域のアドレスを表す情報であっても良い。
制御部２１４は、構外通信網３０において認証を行う装置から受信する契約ＩＤと、契約情報ＤＢ２１３に記憶されている契約ＩＤとに基づいて、契約ＩＤとともに受信するデータが正当なデータであるか否か判定する。そして、制御部２１４は、契約情報ＤＢ２１３に登録されている契約ＩＤとともに受信したデータについては、正当な要求に関するデータであると判定し、要求に応じた処理を行う。例えば、制御部２１４は、ユーザー通信装置１１０はから送信されたデータ書き込みの要求に応じて、記憶部２１２へ映像データを書き込みする。また、制御部２１４は、ユーザー通信装置１１０から送信されたデータ読み出しの要求に応じて、記憶部２１２から映像データを読み出しユーザー通信装置１１０へ送信する。
【００２３】
認証装置４０は、構外通信網３０に接続するユーザー通信装置１１０に対して認証処理を行う装置である。例えば、認証装置４０は構外通信網３０に対して所定の通信路を経由して接続しているユーザー通信装置１１０を認証しても良い。以下、認証装置４０のより具体的な構成の例について説明する。
認証装置４０は、複数のレコードを記録した認証データベースを備え、認証データベースに記録されたレコードに基づいて認証処理を行う。認証データベースは、サービス識別子と端末ソースアドレスと契約ＩＤとを対応付けたレコードを記録している。端末ソースアドレスとは、ユーザー通信装置１１０の端末ＩＤを意味するアドレスである。契約ＩＤとは、サービス識別子及び端末ソースアドレスの組み合わせ毎に付与される識別情報である。認証装置４０は、ユーザー通信装置１１０からサービス識別子を受信すると、ユーザー通信装置１１０から端末ソースアドレスを取得する。認証装置４０は、受信したサービス識別子と、取得した端末ソースアドレスとの組み合わせがレコードとして認証データベースに登録されている場合に、そのユーザー通信装置１１０を認証する。
【００２４】
図４は、第一実施形態におけるＮＷストレージ２１０への録画処理の流れを表すシーケンス図である。映像装置１２０に対して録画開始指示が入力されると、映像装置１２０の制御部１２４が録画処理を開始する（ステップＳ１０１）。録画開始指示の入力は、映像装置１２０に設けられたボタンやリモコンをユーザーが操作することによって行われても良いし、映像装置１２０に対して予め設定された録画予約などの設定に応じて制御部１２４が自ら行っても良い。
録画処理が開始すると、制御部１２４は、ユーザー通信装置１１０に対して空き容量確認を行う（ステップＳ１０２）。空き容量確認とは、これから行う録画処理によって記録される映像データの容量が、映像データの記録先となる記憶領域に残されているか否かを確認する処理である。具体的には、制御部１２４は、記録される映像データの容量に関する情報を含む空き容量確認データをユーザー通信装置１１０に送信する。
【００２５】
ユーザー通信装置１１０の制御部１１３は、映像装置１２０から空き容量確認データを受信すると、回線認証要求データとともに空き容量確認データを認証装置４０へ送信する（ステップＳ１０３）。回線認証要求データには、ストレージサービスを示すサービス識別子が含まれる。
認証装置４０は、回線認証要求データを受信すると、回線認証要求データに基づきユーザー通信装置１１０の端末ソースアドレスを取得する。認証装置４０は、端末ソースアドレスとサービス識別子とが関連付けられたレコードが、認証データベースに登録されているか照合する。この照合によって、認証装置４０は、回線認証要求データの送信元であるユーザー通信装置１１０がストレージサービスに加入しているか否かについて判定する。
【００２６】
ユーザー通信装置１１０がストレージサービスに加入していない場合（ステップＳ１０４−ＮＯ）、認証装置４０はユーザー通信装置１１０に対しエラーデータを送信する（ステップＳ１０５）。エラーデータは、認証を受けることができなかったこと、すなわちＮＷストレージ２１０にアクセスできないことを示す。ユーザー通信装置１１０の制御部１１３は、認証装置４０からエラーデータを受信すると、映像データをＮＷストレージ２１０に書き込むことができないことを映像装置１２０に通知する（ステップＳ１０６）。
一方、ユーザー通信装置１１０がストレージサービスに加入している場合（ステップＳ１０４−ＹＥＳ）、認証装置４０は、端末ソースアドレスとサービス識別子とが関連付けられたレコードの契約ＩＤを読み出す。そして認証装置４０は、ユーザー通信装置１１０から受信した空き容量確認データと契約ＩＤとをＮＷストレージ２１０へ送信する（ステップＳ１０７）。
【００２７】
ＮＷストレージ２１０の制御部２１４は、認証装置４０から受信した契約ＩＤが契約情報ＤＢ２１３に登録されているか照合する。登録されていない場合は、制御部２１４はエラーデータを認証装置４０へ送信する。この場合、認証装置４０は、エラーデータをユーザー通信装置１１０へ送信する。一方、登録されている場合は、受信した空き容量確認データに基づいて、映像装置１２０から要求されている空き容量が存在するか否か判定する。具体的な処理は例えば以下のとおりである。制御部２１４は、受信された契約ＩＤに基づいて契約情報ＤＢ２１３を参照し、この契約に割り当てられた記憶領域の空き容量を取得する。そして、制御部２１４は、受信した空き容量確認データで要求されている映像データの容量と、この契約に割り当てられた記憶領域の空き容量とを比較し、要求されている空き容量が存在するか否か判定する。そして、制御部２１４は、判定結果を表す空き容量確認結果データを生成し、認証装置４０へ送信する（ステップＳ１０８）。
【００２８】
認証装置４０は、認証されたことを表す認証結果と、ＮＷストレージ２１０から受信した空き容量確認結果データとを、空き容量確認データの送信元であるユーザー通信装置１１０へ送信する（ステップＳ１０９）。ユーザー通信装置１１０の制御部１１３は、認証装置４０から上記２つのデータを受信すると、空き容量確認結果データを映像装置１２０へ送信する（ステップＳ１１０）。映像装置１２０の制御部１２４は、空き容量確認結果データを受信すると、受信した空き容量確認結果データが示す判定結果を確認する。空き容量が足りていない場合、制御部１２４は表示装置１３０にエラー表示を行う。一方、空き容量が足りている場合は、制御部１２４は録画の対象となっている映像データをユーザー通信装置１１０に転送する（ステップＳ１１１）。
【００２９】
ユーザー通信装置１１０の制御部１１３は、映像装置１２０から受信する映像データを一時記憶部１１４に一時的に保存する（ステップＳ１１２）。映像装置１２０の制御部１２４は、録画の対象となっている映像データを全てユーザー通信装置１１０に送信した後に、ユーザー通信装置１１０に録画完了通知を送信する（ステップＳ１１３）。ユーザー通信装置１１０の制御部１１３は、録画完了通知を受信すると、それまでの間に一時記憶部１１４に保存された映像データをＮＷストレージ２１０へ送信する（ステップＳ１１４）。ＮＷストレージ２１０の制御部２１４は、映像データを受信すると、契約によって送信元のユーザー通信装置１１０に割り当てられている記憶領域に、受信した映像データを保存する（ステップＳ１１５）。
なお、図４に示される処理において、ユーザー通信装置１１０に関して、回線情報が既に認証装置４０に登録されている。また、ユーザー通信装置１１０に対して回線事業者から割り振られている端末ソースアドレスと回線情報とが関連付けられて、認証装置４０の回線情報データベースに登録されている。このため、ユーザー通信装置１１０の正当性は、登録されている端末ソースアドレス及び回線情報に基づいて行われている。
【００３０】
図５は、第一実施形態におけるＮＷストレージ２１０からの再生処理の流れを表すシーケンス図である。映像装置１２０に対して再生開始指示が入力されると、映像装置１２０の制御部１２４が再生処理を開始する（ステップＳ２０１）。再生開始指示の入力は、映像装置１２０に設けられたボタンやリモコンをユーザーが操作することによって行われても良いし、映像装置１２０に対して予め設定された再生予約などの設定に応じて制御部１２４が自ら行っても良い。
再生処理が開始すると、制御部１２４は、ユーザー通信装置１１０に対して保存領域へのアクセス要求を行う（ステップＳ２０２）。保存領域へのアクセス要求とは、ＮＷストレージ２１０が備える記憶部２１２の記憶領域へのアクセスを要求する処理である。具体的には、制御部１２４は、記憶部２１２の記憶領域へのアクセス要求を表すアクセス要求データをユーザー通信装置１１０に送信する。
【００３１】
ユーザー通信装置１１０の制御部１１３は、映像装置１２０からアクセス要求データを受信すると、回線認証要求データとともにアクセス要求データを認証装置４０へ送信する（ステップＳ２０３）。回線認証要求データには、ストレージサービスを示すサービス識別子が含まれる。
認証装置４０は、回線認証要求データを受信すると、回線認証要求データに基づきユーザー通信装置１１０の端末ソースアドレスを取得する。認証装置４０は、端末ソースアドレスとサービス識別子とが関連付けられたレコードが、認証データベースに登録されているか照合する。この照合によって、認証装置４０は、回線認証要求データの送信元であるユーザー通信装置１１０がストレージサービスに加入しているか否かについて判定する。
【００３２】
ユーザー通信装置１１０がストレージサービスに加入していない場合（ステップＳ２０４−ＮＯ）、認証装置４０はユーザー通信装置１１０に対しエラーデータを送信する（ステップＳ２０５）。エラーデータは、認証を受けることができなかったこと、すなわちＮＷストレージ２１０にアクセスできないことを示す。ユーザー通信装置１１０の制御部１１３は、認証装置４０からエラーデータを受信すると、映像データをＮＷストレージ２１０から読み出すことができないことを映像装置１２０に通知する（ステップＳ２０６）。
一方、ユーザー通信装置１１０がストレージサービスに加入している場合（ステップＳ２０４−ＹＥＳ）、認証装置４０は、端末ソースアドレスとサービス識別子とが関連付けられたレコードの契約ＩＤを読み出す。そして認証装置４０は、ユーザー通信装置１１０から受信したアクセス要求データと契約ＩＤとをＮＷストレージ２１０へ送信する（ステップＳ２０７）。
【００３３】
ＮＷストレージ２１０の制御部２１４は、認証装置４０から受信した契約ＩＤが契約情報ＤＢ２１３に登録されているか照合する。登録されていない場合は、制御部２１４はエラーデータを認証装置４０へ送信する。この場合、認証装置４０は、エラーデータをユーザー通信装置１１０へ送信する。一方、登録されている場合は、制御部２１４は要求された記憶領域へのアクセスの許可を表すアクセス許可データを生成し、認証装置４０へ送信する（ステップＳ２０８）。
認証装置４０は、認証されたことを表す認証結果と、ＮＷストレージ２１０から受信したアクセス許可データとを、アクセス要求データの送信元であるユーザー通信装置１１０へ送信する（ステップＳ２０９）。ユーザー通信装置１１０の制御部１１３は、認証装置４０から上記２つのデータを受信すると、アクセス許可データを映像装置１２０へ送信する（ステップＳ２１０）。映像装置１２０の制御部１２４は、アクセス許可データを受信すると、再生しようとする映像データを表すデータ（以下、「映像データ選択結果データ」という。）と、映像データ選択結果データによって表される映像データの送信指示を表すデータ（以下、「送信指示データ」という。）をユーザー通信装置１１０に送信する（ステップＳ２１１）。映像データ選択結果データは、例えば、映像データが記録されている記憶領域のアドレスを示す情報であっても良いし、映像データに対して付与された識別情報であっても良いし、その他の情報であっても良い。
【００３４】
ユーザー通信装置１１０の制御部１１３は、映像装置１２０から受信する映像データ選択結果データ及び送信指示データを認証装置４０に送信する（ステップＳ２１２）。認証装置４０は、映像データ選択結果データ及び送信指示データをＮＷストレージ２１０へ送信する（ステップＳ２１３）。ＮＷストレージ２１０の制御部２１４は、映像データ選択結果データ及び送信指示データを受信すると、映像データ選択結果データによって示される映像データを、記憶部２１２から読み出し、認証装置４０へ送信する（ステップＳ２１４）。認証装置４０は、映像データ選択結果データの送信元であるユーザー通信装置１１０へ、映像データを転送する（ステップＳ２１５）。ユーザー通信装置１１０の制御部１１３は、映像データを映像装置１２０へ転送する（ステップＳ２１６）。映像装置１２０の制御部１２４は、受信した映像データに基づいて、表示装置１３０に映像を表示させる。
【００３５】
以上のように構成された映像システム１００では、構外通信網３０を介して通信可能なＮＷストレージ２１０が、映像装置１２０にとってのＮＡＳ（Network Attached Storage）のように動作する。すなわち、ＮＷストレージ２１０は、ユーザー通信装置１１０の配下に接続された映像装置１２０に対し、構外通信網３０を介して映像データを保存するための保存領域を提供する。そのため、映像装置１２０は、自装置に直接設けられた記憶装置（映像記憶部１２２）や構内通信網１４０に接続された記憶装置のみならず、構外通信網３０を介して遠隔地に設置された記憶装置との間で映像データの書き込みや再生を行うことが可能となる。
【００３６】
また、映像システム１００では、映像装置１２０がＮＷストレージ２１０の記憶領域へ録画処理のためにアクセスする場合や、再生処理のためにアクセスする場合には、ユーザー宅１０内に設置されたユーザー通信装置１１０が、構外通信網３０に設置された認証装置４０によって認証処理を受ける。そして、認証装置４０による認証を受けたユーザー通信装置１１０を介してのみ、ＮＷストレージ２１０の記憶領域へアクセスすることが可能となる。そのため、ユーザー宅１０の構内通信網１４０に接続されていない端末装置は、例えユーザー宅１０のユーザーが所有する端末装置であったとしても、ＮＷストレージ２１０の記憶領域へアクセスすることができない。そのため、ＮＷストレージ２１０の記憶領域に記憶されている映像データを再生できる端末装置を、構内通信網１４０に接続された端末装置（例えば映像装置１２０）に制限することが可能である。すなわち、従来の技術では、録画した映像データを第三者に閲覧されてしまうなどのおそれがあり、そのようなセキュリティに関する問題があった。このような問題に対し、映像システム１００では、上述のようにＮＷストレージ２１０の記憶領域に記憶されている映像データを再生できる端末装置を制限できるため、上記問題を解決することが可能となる。
また、映像システム１００では、認証装置４０による認証処理を、回線認証として行うことができる。そのため、ＮＷストレージ２１０へのアクセス元の端末装置を特定することが可能となり、より厳重に上記の制限を行うことが可能となる。
【００３７】
＜変形例＞
ユーザー宅１０は、ユーザー通信装置１１０及び映像装置１２０が設置される施設の一例にすぎず、ユーザー通信装置１１０及び映像装置１２０が設置される場所は他の施設であっても良い。例えば、学校、公民館、役所、体育館、駅、空港、港、店舗のような施設の内部（構内）にユーザー通信装置１１０及び映像装置１２０が設置されても良い。
ユーザー宅１０の構内において、表示装置１３０は、構内通信網１４０を経由して映像装置１２０と接続されても良い。この場合、映像装置１２０は、構内通信網１４０を通ることが可能なデータ（パケットやフレーム等）に映像信号を変換し、表示装置１３０へ送信する。表示装置１３０は、構内通信網１４０を介して映像装置１２０からデータを受信し、データを映像信号に変換して表示する。
【００３８】
映像装置１２０がＮＷストレージ２１０に送信し記録する映像データは、ＤＶＤ（Digital Versatile Disc）やブルーレイディスク等の記録媒体に記録された映像データであっても良いし、映像記憶部１２２に記憶されている映像データであっても良い。
ユーザー通信装置１１０の制御部１１３は、録画するための映像データをＮＷストレージ２１０に送信する場合、映像装置１２０から受信した映像データを一時記憶部１１４に一時的に記録することなく、ＮＷストレージ２１０へ転送しても良い。
ユーザー通信装置１１０の制御部１１３は、再生するための映像データをＮＷストレージ２１０から受信する場合、受信する映像データを映像装置１２０へ転送する前に一時的に一時記憶部１１４に保存しても良い。その後、例えば所定容量以上の映像データが保存された場合や、再生する映像データの全てを保存した場合に、制御部１１３は一時記憶部１１４から映像データを読み出して映像装置１２０へ転送しても良い。
【００３９】
ユーザー通信装置１１０と認証装置４０との間で行われる認証処理は、ユーザー通信装置１１０が構外通信網３０との間で通信接続を行う際（例えばユーザー通信装置１１０が起動された際）に以下のように行われても良い。まずユーザー通信装置１１０は、ＰＰＰｏＥ（Point to Point Protocol over Ethernet（登録商標））によって、構外通信網３０の通信装置に対し接続を要求する。このとき、ユーザー通信装置１１０は認証装置４０に対し認証を要求する。認証情報は、ＲＡＤＩＵＳ（Remote Authentication Dial In User Service）を使用して認証装置４０に送信される。認証装置４０は、認証情報に基づいて、ユーザー通信装置１１０について回線認証を行う。このような認証処理によって認証されたユーザー通信装置１１０は、図４や図５の処理において、認証装置４０による認証処理を受けることなくＮＷストレージ２１０へのアクセスを行っても良い。
映像装置１２０と表示装置１３０とは一体の装置として構成されても良い。ユーザー通信装置１１０と映像装置１２０とは一体の装置として構成されても良い。ユーザー通信装置１１０と映像装置１２０と表示装置１３０とは一体の装置として構成されても良い。認証装置４０とＮＷストレージ２１０とは一体の装置として構成されても良い。
【００４０】
［第二実施形態］
図６は、映像システムの第二実施形態（映像システム１００ａ）のシステム構成を表すシステム構成図である。映像システム１００ａは、認証装置４０を備えない点と、エッジルーター（Edge Router）５０及び回線情報管理装置６０を備える点とで、第一実施形態の映像システム１００と異なる。
第二実施形態のユーザー宅１０内の装置及びデータセンター２０内の装置は、第一実施形態の同装置と同じである。
エッジルーター５０は、第一実施形態の認証装置４０が備えた認証データベースを備え、サービス識別子と端末ソースアドレスとに基づいて認証を行う。エッジルーター５０が認証を行う対象は、自装置を介して構外通信網３０に接続する端末装置であり、図６ではユーザー通信装置１１０である。
回線情報管理装置６０は、回線情報を記憶し管理する。
【００４１】
図７は、第二実施形態におけるＮＷストレージ２１０への録画処理の流れを表すシーケンス図である。映像装置１２０に対して録画開始指示が入力されると、映像装置１２０の制御部１２４が録画処理を開始する（ステップＳ３０１）。録画処理が開始すると、制御部１２４は、ユーザー通信装置１１０に録画要求データを送信する（ステップＳ３０２）。録画要求データとは、これから生成される映像データを記憶領域に記録することを要求することを表すデータであり、ストレージサービスを表すサービス識別子と、映像データのサイズを表す情報とを含む。ユーザー通信装置１１０の制御部１１３は、録画要求データを受信すると、受信した録画要求データをエッジルーター５０へ送信する（ステップＳ３０３）。
【００４２】
エッジルーター５０は、録画要求データを受信すると、受信した録画要求データに基づきユーザー通信装置１１０の端末ソースアドレスを取得する。エッジルーター５０は、端末ソースアドレスとサービス識別子とが関連付けられたレコードが、認証データベースに登録されているか照合する。この照合によって、エッジルーター５０は、録画要求データの送信元であるユーザー通信装置１１０がストレージサービスに加入しているか否かについて判定する。
ユーザー通信装置１１０がストレージサービスに加入していない場合（ステップＳ３０４−ＮＯ）、エッジルーター５０はユーザー通信装置１１０を介して映像装置１２０に対しエラーデータを送信する（ステップＳ３０５）。エラーデータは、認証を受けることができなかったこと、すなわちＮＷストレージ２１０にアクセスできないことを示す。一方、ユーザー通信装置１１０がストレージサービスに加入している場合（ステップＳ３０４−ＹＥＳ）、エッジルーター５０は、端末ソースアドレスとサービス識別子とが関連づけられたレコードの契約ＩＤを読み出す。また、エッジルーター５０は、回線情報管理装置６０に対し、回線情報要求データを送信する（ステップＳ３０６）。回線情報要求データとは、回線情報を要求していることを表すデータである。回線情報管理装置６０は、回線情報要求データを受信すると、要求された回線情報を送信元のエッジルーター５０に対し送信する（ステップＳ３０７）。
【００４３】
エッジルーター５０は、回線情報を受信すると、受信した回線情報と、契約ＩＤを付加した録画要求データとをＮＷストレージ２１０に送信する（ステップＳ３０８）。ＮＷストレージ２１０の制御部２１４は、エッジルーター５０から受信した契約ＩＤが契約情報ＤＢ２１３に登録されているか照合する。登録されていない場合は、制御部２１４はエッジルーター５０を介してユーザー通信装置１１０へエラーデータを送信する。一方、登録されている場合は、制御部２１４は、受信した録画要求データに基づいて、映像装置１２０がこれから行う録画処理に要する空き容量が存在するか否か判定する。空き容量が存在しない場合には、制御部２１４はエッジルーター５０及びユーザー通信装置１１０を介して映像装置１２０へエラーデータを送信する。一方、空き容量が存在する場合には、制御部２１４は、映像データを記録するための記憶領域（録画領域）を記憶部２１２上に確保し、回線情報を保持する（ステップＳ３０９）。そして、制御部２１４は、映像データを記録する準備が完了したことを表すアクノーレッジ（ＡＣＫ）データを、エッジルーター５０及びユーザー通信装置１１０を介して映像装置１２０へ送信する（ステップＳ３１０）。
映像装置１２０の制御部１２４は、アクノーレッジデータをＮＷストレージ２１０から受信すると、録画の対象となっている映像データを、ユーザー通信装置１１０及びエッジルーター５０を介してＮＷストレージ２１０へ送信する（ステップＳ３１１）。ＮＷストレージ２１０の制御部２１４は、映像装置１２０から映像データを受信すると、確保していた録画領域に映像データを記録する（ステップＳ３１２）。
【００４４】
図８は、第二実施形態におけるＮＷストレージ２１０からの再生処理の流れを表すシーケンス図である。映像装置１２０に対して再生開始指示が入力されると、映像装置１２０の制御部１２４が再生処理を開始する（ステップＳ４０１）。再生処理が開始すると、制御部１２４は、ユーザー通信装置１１０に対して再生要求データを送信する（ステップＳ４０２）。再生要求データとは、再生する映像データの転送を要求することを表すデータであり、ストレージサービスを表すサービス識別子と、再生する映像データを示す情報とを含む。ユーザー通信装置１１０の制御部１１３は、映像装置１２０から再生要求データを受信すると、受信した再生要求データをエッジルーター５０へ送信する（ステップＳ４０３）。
【００４５】
エッジルーター５０は、再生要求データを受信すると、受信した再生要求データに基づきユーザー通信装置１１０の端末ソースアドレスを取得する。エッジルーター５０は、端末ソースアドレスとサービス識別子とが関連付けられたレコードが、認証データベースに登録されているか照合する。この照合によって、エッジルーター５０は、再生要求データの送信元であるユーザー通信装置１１０がストレージサービスに加入しているか否かについて判定する。
ユーザー通信装置１１０がストレージサービスに加入していない場合（ステップＳ４０４−ＮＯ）、エッジルーター５０はユーザー通信装置１１０を介して映像装置１２０に対しエラーデータを送信する（ステップＳ４０５）。エラーデータは、認証を受けることができなかったこと、すなわちＮＷストレージ２１０にアクセスできないことを示す。一方、ユーザー通信装置１１０がストレージサービスに加入している場合（ステップＳ４０４−ＹＥＳ）、エッジルーター５０は、端末ソースアドレスとサービス識別子とが関連づけられたレコードの契約ＩＤを読み出す。また、エッジルーター５０は、回線情報管理装置６０に対し、回線情報要求データを送信する（ステップＳ４０６）。回線情報管理装置６０は、回線情報要求データを受信すると、要求された回線情報を送信元のエッジルーター５０に対し送信する（ステップＳ４０７）。
【００４６】
エッジルーター５０は、回線情報を受信すると、受信した回線情報と、契約ＩＤを付加した再生要求データとをＮＷストレージ２１０に送信する（ステップＳ４０８）。ＮＷストレージ２１０の制御部２１４は、エッジルーター５０から受信した回線情報及び契約ＩＤが契約情報ＤＢ２１３に登録されているか照合する（ステップＳ４０９）。登録されていない場合は（ステップＳ４０９−ＮＯ）、制御部２１４はエッジルーター５０及びユーザー通信装置１１０を介して映像装置１２０へエラーデータを送信する（ステップＳ４１０）。一方、登録されている場合は（ステップＳ４０９−ＹＥＳ）、制御部２１４は、受信した再生要求データに基づいて再生の対象となっている映像データを記憶部２１２から検索する。そして、制御部２１４は、再生要求データに対する応答としてのアクノーレッジ（ＡＣＫ）データとともに、映像データを映像装置１２０へ送信する（ステップＳ４１１）。
このように構成された第二実施形態（映像システム１００ａ）によっても、第一実施形態と同様の効果を奏することが出来る。
【００４７】
＜変形例＞
第二実施形態の映像システム１００ａは、可能な範囲において、第一実施形態の映像システム１００と同様に変形して構成されても良い。
図７に示される録画処理のステップＳ３１１において、ユーザー通信装置１１０の制御部１１４は、映像装置１２０から送信される映像データを一時記憶部１１４に一時的に保存しても良い。この場合、制御部１１４は、録画する映像データの全てを一時記憶部１１４に保存した後に、映像データをＮＷストレージ２１０に送信しても良い。
【００４８】
［第三実施形態］
図９は、映像システムの第三実施形態（映像システム１００ｂ）のシステム構成を表すシステム構成図である。映像システム１００ｂは、サービス提供装置７０をさらに備える点で、映像システム１００ａと異なる。
第三実施形態のユーザー宅１０内の装置及びデータセンター２０内の装置は、第二実施形態の同装置と同じである。
第三実施形態のエッジルーター５０は、第二実施形態のエッジルーター５０とは異なり、認証データベースを備えず、サービス識別子と端末ソースアドレスとに基づいた認証を行わない。第三実施形態のエッジルーター５０は、サービス提供装置７０とユーザー通信装置１１０との間でデータの中継を行う。
第三実施形態の回線情報管理装置６０は、第二実施形態の回線情報管理装置６０と同じ構成であり、回線情報を記憶し管理する。
サービス提供装置７０は、第二実施形態のエッジルーター５０が備えた認証データベースを備え、サービス識別子と端末ソースアドレスとに基づいて認証を行う。
【００４９】
図１０は、第三実施形態におけるＮＷストレージ２１０への録画処理の流れを表すシーケンス図である。映像装置１２０に対して録画開始指示が入力されると、映像装置１２０の制御部１２４が録画処理を開始する（ステップＳ５０１）。録画処理が開始すると、制御部１２４は、ユーザー通信装置１１０に録画要求データを送信する（ステップＳ５０２）。録画要求データとは、これから生成される映像データを記憶領域に記録することを要求することを表すデータであり、ストレージサービスを表すサービス識別子と、映像データのサイズを表す情報とを含む。ユーザー通信装置１１０の制御部１１３は、録画要求データを受信すると、受信した録画要求データをエッジルーター５０へ送信する（ステップＳ５０３）。エッジルーター５０は、録画要求データを受信すると、受信した録画要求データをサービス提供装置７０へ転送する（ステップＳ５０４）。
【００５０】
サービス提供装置７０は、録画要求データを受信すると、受信した録画要求データに基づきユーザー通信装置１１０の端末ソースアドレスを取得する。サービス提供装置７０は、端末ソースアドレスとサービス識別子とが関連付けられたレコードが、認証データベースに登録されているか照合する。この照合によって、サービス提供装置７０は、録画要求データの送信元であるユーザー通信装置１１０がストレージサービスに加入しているか否かについて判定する。
ユーザー通信装置１１０がストレージサービスに加入していない場合（ステップＳ５０５−ＮＯ）、サービス提供装置７０はエッジルーター５０及びユーザー通信装置１１０を介して映像装置１２０に対しエラーデータを送信する（ステップＳ５０６）。一方、ユーザー通信装置１１０がストレージサービスに加入している場合（ステップＳ５０５−ＹＥＳ）、サービス提供装置７０は、端末ソースアドレスとサービス識別子とが関連づけられたレコードの契約ＩＤを読み出す。また、サービス提供装置７０は、回線情報管理装置６０に対し、回線情報要求データを送信する（ステップＳ５０７）。回線情報管理装置６０は、回線情報要求データを受信すると、要求された回線情報を送信元のサービス提供装置７０に対し送信する（ステップＳ５０８）。
【００５１】
サービス提供装置７０は、回線情報を受信すると、受信した回線情報と、契約ＩＤを付加した録画要求データとをＮＷストレージ２１０に送信する（ステップＳ５０９）。ＮＷストレージ２１０の制御部２１４は、サービス提供装置７０から受信した契約ＩＤが契約情報ＤＢ２１３に登録されているか照合する。登録されていない場合は、制御部２１４はサービス提供装置７０を介してユーザー通信装置１１０へエラーデータを送信する。一方、登録されている場合は、制御部２１４は、受信した録画要求データに基づいて、映像装置１２０がこれから行う録画処理に要する空き容量が存在するか否か判定する。空き容量が存在しない場合には、制御部２１４はサービス提供装置７０とエッジルーター５０とユーザー通信装置１１０を介して映像装置１２０へエラーデータを送信する。一方、空き容量が存在する場合には、制御部２１４は、映像データを記録するための記憶領域（録画領域）を記憶部２１２上に確保し、回線情報を保持する（ステップＳ５１０）。そして、制御部２１４は、映像データを記録する準備が完了したことを表すアクノーレッジ（ＡＣＫ）データをサービス提供装置７０へ送信する（ステップＳ５１１）。サービス提供装置７０は、録画要求データの送信元である映像装置１２０へ、エッジルーター５０及びユーザー通信装置１１０を介してアクノーレッジデータを転送する（ステップＳ５１２）。
映像装置１２０の制御部１２４は、アクノーレッジデータをＮＷストレージ２１０から受信すると、録画の対象となっている映像データを、ユーザー通信装置１１０及びエッジルーター５０を介してサービス提供装置７０へ送信する（ステップＳ５１３）。サービス提供装置７０は、受信した映像データをＮＷストレージ２１０へ転送する（ステップＳ５１４）。ＮＷストレージ２１０の制御部２１４は、サービス提供装置７０から映像データを受信すると、確保していた録画領域に映像データを記録する（ステップＳ５１５）。
【００５２】
図１１は、第三実施形態におけるＮＷストレージ２１０からの再生処理の流れを表すシーケンス図である。映像装置１２０に対して再生開始指示が入力されると、映像装置１２０の制御部１２４が再生処理を開始する（ステップＳ６０１）。再生処理が開始すると、制御部１２４は、ユーザー通信装置１１０に対して再生要求データを送信する（ステップＳ６０２）。再生要求データとは、再生する映像データの転送を要求することを表すデータであり、ストレージサービスを表すサービス識別子と、再生する映像データを示す情報とを含む。ユーザー通信装置１１０の制御部１１３は、映像装置１２０から再生要求データを受信すると、受信した再生要求データをエッジルーター５０へ送信する（ステップＳ６０３）。エッジルーター５０は、再生要求データを受信すると、受信した再生要求データをサービス提供装置７０へ転送する（ステップＳ６０４）。
【００５３】
サービス提供装置７０は、再生要求データを受信すると、受信した再生要求データに基づきユーザー通信装置１１０の端末ソースアドレスを取得する。サービス提供装置７０は、端末ソースアドレスとサービス識別子とが関連付けられたレコードが、認証データベースに登録されているか照合する。この照合によって、サービス提供装置７０は、再生要求データの送信元であるユーザー通信装置１１０がストレージサービスに加入しているか否かについて判定する。
ユーザー通信装置１１０がストレージサービスに加入していない場合（ステップＳ６０５−ＮＯ）、サービス提供装置７０はエッジルーター５０及びユーザー通信装置１１０を介して映像装置１２０に対しエラーデータを送信する（ステップＳ６０６）。一方、ユーザー通信装置１１０がストレージサービスに加入している場合（ステップＳ６０５−ＹＥＳ）、サービス提供装置７０は、端末ソースアドレスとサービス識別子とが関連づけられたレコードの契約ＩＤを読み出す。また、サービス提供装置７０は、回線情報管理装置６０に対し、回線情報要求データを送信する（ステップＳ６０７）。回線情報管理装置６０は、回線情報要求データを受信すると、要求された回線情報を送信元のサービス提供装置７０に対し送信する（ステップＳ６０８）。
【００５４】
サービス提供装置７０は、回線情報を受信すると、受信した回線情報と、契約ＩＤを付加した再生要求データとをＮＷストレージ２１０に送信する（ステップＳ６０９）。ＮＷストレージ２１０の制御部２１４は、サービス提供装置７０から受信した回線情報及び契約ＩＤが契約情報ＤＢ２１３に登録されているか照合する（ステップＳ６１０）。登録されていない場合は（ステップＳ６１０−ＮＯ）、制御部２１４はサービス提供装置７０とエッジルーター５０とユーザー通信装置１１０とを介して映像装置１２０へエラーデータを送信する（ステップＳ６１１）。一方、登録されている場合は（ステップＳ６１０−ＹＥＳ）、制御部２１４は、受信した再生要求データに基づいて再生の対象となっている映像データを記憶部２１２から検索する。そして、制御部２１４は、再生要求データに対する応答としてのアクノーレッジ（ＡＣＫ）データとともに、映像データを、サービス提供装置７０とエッジルーター５０とユーザー通信装置１１０とを介して映像装置１２０へ送信する（ステップＳ６１２）。
このように構成された第三実施形態（映像システム１００ｂ）によっても、第一実施形態と同様の効果を奏することが出来る。
【００５５】
＜変形例＞
第三実施形態の映像システム１００ｂは、可能な範囲において、第一実施形態の映像システム１００と同様に変形して構成されても良い。
図１０に示される録画処理のステップＳ５１３において、ユーザー通信装置１１０の制御部１１４は、映像装置１２０から送信される映像データを一時記憶部１１４に一時的に保存しても良い。この場合、制御部１１４は、録画する映像データの全てを一時記憶部１１４に保存した後に、映像データをＮＷストレージ２１０に送信しても良い。
【００５６】
以上、この発明の実施形態について図面を参照して詳述してきたが、具体的な構成はこの実施形態に限られるものではなく、この発明の要旨を逸脱しない範囲の設計等も含まれる。
【符号の説明】
【００５７】
１００…映像システム，  １０…ユーザー宅，  ２０…データセンター，  ３０…構外通信網，  ４０…認証装置，  ５０…エッジルーター（認証装置），  ６０…回線情報管理装置，  ７０…サービス提供装置（認証装置），  １１０…ユーザー通信装置（通信装置），  １２０…映像装置，  １３０…表示装置，  １４０…構内通信網，  ２１０…ＮＷストレージ（記憶装置）
【図１】
0005700372.tif 000002
【図２】
0005700372.tif 000003
【図３】
0005700372.tif 000004
【図４】
0005700372.tif 000005
【図５】
0005700372.tif 000006
【図６】
0005700372.tif 000007
【図７】
0005700372.tif 000008
【図８】
0005700372.tif 000009
【図９】
0005700372.tif 000010
【図１０】
0005700372.tif 000011
【図１１】
0005700372.tif 000012